Podtech/llm-jp-corpus-v4-ja_patent huggingface dataset:
(57)【要約】【課題】  陰茎と陰のうが密着しないよう、仕切り布を設けた男性用下穿きを提供する。【解決手段】  男性用下穿きの内側に仕切り布を設け、その仕切り布に陰茎を通すための開口部を設けそこに陰茎を通すことによって、陰茎と陰のうの密着を避けることを特徴とする男性用下穿き。【選択図】図１
2008057093.tif 000002
【特許請求の範囲】
【請求項１】
男性用下穿きの内側に仕切り布を設け、その仕切り布に陰茎を通すための開口部を設け、その開口部に陰茎を通すことによって、陰茎と陰のうの密着を避けることを特徴とする男性用下穿き。
【請求項２】
仕切り布の開口部をゴムひも等で大きさを変えられるようにした、請求項１の男性用下穿き。
【発明の詳細な説明】
【技術分野】
【０００１】本発明は、着用することによって、陰茎と陰のうの密着を防ぐ男性用下穿きに関するものである。
【背景技術】
【０００２】  陰のう部は、機能上汗のかきやすい所であり、それに陰茎が汗で密着したりすると不快であるし、密着した部分の汗は乾かず皮膚病の原因にもなる。
なお、前開きトランクスの開閉口に沿って、トランクスの内側に陰茎と陰のうの密着を避けるべく、陰茎専用のポケット様の収納部を設ける発明が知られている（特許文献１）。
【特許文献１】特開平８−２４６２０１号広報
【発明の開示】
【発明が解決しようとする課題】
【０００３】（イ）  今までの男性用下穿きでは、必ず陰茎と陰のうが密着してしまうし、それが不快で陰茎を持ち上げるなどして陰のう部から離しても、体を少しでも動かせばまた密着してしまう。
（ロ）  前開きトランクスの開閉口に沿って、トランクスの内側に陰茎専用のポケット様の収納部を設ける方法では、体を動かしたりすると、陰茎が収納部からはずれやすく、たびたび調整しなければならないし、用も足しづらい。
本発明は以上の問題点を解決し、快適な男性用下穿きを提供しようとするものである。
【課題を解決するための手段】
【０００４】  男性用下穿きの内側に仕切り布を設け、その仕切り布に陰茎を通すための開口部を設ける。その開口部に陰茎を通すことにより、陰茎と陰のうの密着を避けることを特徴とする男性用下穿きである。
【発明の効果】
【０００５】（イ）  本発明は、体の動きや陰茎の大きさの変化にも対応して、陰茎と陰のうの密着を避けるものである。
（ハ）  また１度仕切り布の開口部に陰茎を通してしまえば、開口部から陰茎が外れることはめったにないので、調整はほとんど必要ないし、用を足すのも簡単である。
【発明を実施するための最良の形態】
【０００６】（イ）  仕切り布（１）に開口部（２）を設ける。
（ロ）  仕切り布（１）の開口部（２）が陰茎の根元にくるように仕切り布（１）を前開き男性用下穿き（３）に設置する。
本発明は以上のような構造で、これを使用するときは、仕切り布（１）の開口部（２）に陰茎を通し、陰茎の根元が仕切り布（１）の開口部（２）にくるようにする。陰茎は仕切り布（１）と男性用下穿き（３）の間にあることになる。
【実施例１】
【０００７】  陰茎は太さが変化するし、太さに個人差もあるので、仕切り布（１）の開口部（２）をゴムひも等で大きさを変えられるようにすると、陰茎が仕切り布（１）の開口部（２）からより外れにくくなる。
【実施例２】
【０００８】  本発明は前開きのない男性用下穿き（５）にも応用できる。この場合、仕切り布（１）の上部（６）を除いてつまり仕切り布（１）の左右と下部を前開きのない男性用下穿き（５）に接合する。仕切り布（１）の上部（６）は接合されていないので、前開きのない男性用下穿き（５）の前面を少し下ろして、そこから用を足すことができる。
【図面の簡単な説明】
【０００９】
【図１】  本発明の斜視図
【図２】  仕切り布（１）の斜視図
【図３】  仕切り布（１）の開口部（２）をゴムひも等で大きさを変えられるようにした仕切り布（１）の斜視図
【図４】  本発明を前開きのない男性用下穿き（５）に応用した斜視図
【符号の説明】
【００１０】  １  仕切り布
２  開口部
３  前開き男性用下穿き
４  ゴムひも等
５  前開きのない男性用下穿き
６  仕切り布上部
【図１】
2008057093.tif 000003
【図２】
2008057093.tif 000004
【図３】
2008057093.tif 000005
【図４】
2008057093.tif 000006
(57)【要約】【課題】搬送中の熱間圧延材にマーキングをより確実に施すことができる熱間圧延材マーキング装置を提供する。【解決手段】熱間圧延材２の搬送ラインの一側に冷却水を該熱間圧延材に向けて局所的に噴射する水噴霧器３を設けると共に、マーキング塗料噴射機７を該搬送ラインの下流側であって該水噴霧器と接近して設け、該マーキング塗料噴射機が備える一対の塗料噴射ノズル８ａ，８ｂから該熱間圧延材の冷却水が噴霧された個所に向けてマーキング塗料が同時に噴射されるようにした。【選択図】図１
2008119724.tif 000002
【特許請求の範囲】
【請求項１】
熱間圧延材の搬送ラインの一側に冷却水を該熱間圧延材に向けて局所的に噴射する水噴霧器を設けると共に、マーキング塗料噴射機を該搬送ラインの下流側であって該水噴霧器と接近して設け、該マーキング塗料噴射機が備える一対の塗料噴射ノズルから該熱間圧延材の冷却水が噴霧された個所に向けてマーキング塗料が同時に噴射されるようにしたことを特徴とする熱間圧延材マーキング装置。
【発明の詳細な説明】
【技術分野】
【０００１】
本発明は熱間圧延材に搬送中に材料種別などを示すためのマーキングを施す装置に関するものである。
【背景技術】
【０００２】
熱間圧延された圧延材がコンベヤ上を長手方向に搬送されて次の圧延機や切断機に搬入される際の該熱間圧延材は、８００〜１１００℃の高温度であるので、耐熱性の塗料を使用したとしても、うつりが悪く、マーキングすることは実質的に不可能であった。このため、温度を低下させた後に作業者が手動でマーキングすることが一般的であったが、危険を伴う過酷な作業を強いるものであった。
【０００３】
一方、下記特許文献１は切断された圧延材の端面にマーキング装置から塗料を噴射させてマーキングする装置を示すものである。
【特許文献１】特開平８−３０９４３７号公報
【発明の開示】
【発明が解決しようとする課題】
【０００４】
そこで、本発明は搬送中の熱間圧延材にマーキングを施すことを可能にする熱間圧延材マーキング装置を提供しようとするものである。
【課題を解決するための手段】
【０００５】
そのために請求項１に記載した熱間圧延材マーキング装置の発明は、熱間圧延材の搬送ラインの一側に冷却水を該熱間圧延材に向けて局所的に噴射する水噴霧器を設けると共に、マーキング塗料噴射機を該ラインの下流側であって該水噴霧器と接近して設け、該マーキング塗料噴射機が備える一対の塗料噴射ノズルから該熱間圧延材の冷却水が噴霧された個所に向けてマーキング塗料が同時に噴射されるようにしたことを特徴とする。
【発明の効果】
【０００６】
請求項１に記載した発明によれば、水噴霧器から噴射された冷却水によって熱間圧延材が局所的に冷却され、その直後にその部所にマーキング塗料が同時に２方向から噴射されることにより、搬送中の熱間圧延材にマーキングをより確実に施すことができる。
【発明を実施するための最良の形態】
【０００７】
図１は本発明の実施形態である熱間圧延材の搬送ラインを示し、同図中、１は熱間圧延材２を矢印の方向に１０ｍ／ｓ程度の一定速度で搬送するローラーコンベヤである。３は該搬送ラインに設けられた水噴霧器で、該水噴霧器は図２に示したように配管４に熱間圧延材２の両側に相対する水噴射ノズル５，５が設けられ、該配管４の電磁弁６を開閉することにより該水噴射ノズル５，５から熱間圧延材２に向けて局所的に冷却水が噴射されるよう構成される。また、７は搬送ラインの下流側であって該水噴霧器と接近（３０ｃｍ程度離間）して設けられたマーキング塗料噴射機で、該マーキング塗料噴射機は、図３に示したように、熱間圧延材２を挟むように両側にスタンド９，１０が設けられ、該各スタンドにそれぞれ一対の塗料噴射ノズル８ａ，８ｂを備えており、該塗料噴射ノズル８ａ，８ｂから該熱間圧延材２の冷却水が噴霧された個所に向けてマーキング塗料が同時に噴射されるように構成している。
【０００８】
このように構成した熱間圧延材マーキング装置では、熱間圧延材２に冷却水が噴射されることにより該熱間圧延材２が局所的に冷却され、一時的に温度が下がった時にその個所に向けて２方向からマーキング塗料を同時に噴射することで、マーキング塗料をその特定個所に確実に塗着させることができる。このため、危険で過酷な任務から作業者が解放されるなど有益な効果がある。
【図面の簡単な説明】
【０００９】
【図１】本発明の実施形態を示す熱間圧延材搬送ラインの平面図。
【図２】図１のＡ−Ａ線断面拡大図。
【図３】図１のマーキング塗料噴射機の拡大平面図。
【符号の説明】
【００１０】
１            ローラーコンベヤ
２            熱間圧延材
３            水噴霧器
５            水噴射ノズル
７            マーキング塗料噴射機
８ａ，８ｂ    塗料噴射ノズル
【図１】
2008119724.tif 000003
【図２】
2008119724.tif 000004
【図３】
2008119724.tif 000005
(57)【要約】【課題】滅菌効果が高く、消臭効果も有する滅菌及び消臭装置の提供を目的とする。【解決手段】マイナスイオン発生装置と、発生したマイナスイオンを吹出す送風装置とを備えるとともに、ＵＶ照射ランプとキセノン放電発光管とを備えていることを特徴とする。【選択図】  図１
2008119331.tif 000002
【特許請求の範囲】
【請求項１】
マイナスイオン発生装置と、発生したマイナスイオンを吹出す送風装置とを備えるとともに、ＵＶ照射ランプとキセノン放電発光管とを備えていることを特徴とする滅菌及び消臭装置。
【請求項２】
請求項１記載の滅菌及び消臭装置から照射された光線を反射装置で反射させ広範囲にわたって照射することを特徴とする滅菌及び消臭方法。
【発明の詳細な説明】
【技術分野】
【０００１】
本発明は、室内空間を除菌、殺菌、滅菌及び消臭するのに効果的な滅菌及び消臭装置に関する。
【背景技術】
【０００２】
殺菌灯として水銀ランプを用いた２５４ｎｍを主波長とする紫外線照射装置（ＵＶ照射ランプ）は公知である。
特開２００５−２６１９８４号公報には、水銀ランプの殺菌灯よりも照度が高く、波長分布が広範囲にわたるキセノンフラッシュランプ（キセノン放電発光管）について開示する。
しかし、ＵＶ照射ランプ又はキセノン放電発光管単独では滅菌効果が充分に得られない場合がある。
例えばレジオネラ菌は２０〜５０℃で繁殖し、特に３６℃前後では活発に増殖する。
レジオネラ菌は長さ２〜３０μｍ、幅０．３〜０．９μｍ程度の細長い菌で、公衆浴場、サウナ等で感染し、レジオネラ肺炎を発病した報告がある。
しかし、このような浴場、浴室は湿度が高く、湿気が多いために水滴に遮られて紫外線の照射率が低下してしまい、充分に滅菌することが難しいのが実状であった。
特に近年普及がめざましい岩盤浴室は温度が４０℃前後で、湿度が６０〜９０％もあり、利用者の汗も含まれ、レジオネラ菌の増殖に適した環境になっているので、より徹底した衛生管理が要求されている。
【０００３】
【特許文献１】特開２００５−２６１９８４号公報
【発明の開示】
【発明が解決しようとする課題】
【０００４】
本発明は上記背景技術を鑑みて、滅菌効果が高く、消臭効果も有する滅菌及び消臭装置の提供を目的とする。
【課題を解決するための手段】
【０００５】
本発明に係る滅菌及び消臭装置は、マイナスイオン発生装置と、発生したマイナスイオンを吹出す送風装置とを備えるとともに、ＵＶ照射ランプとキセノン放電発光管とを備えていることを特徴とする。
本明細書においては、滅菌とは除菌、殺菌を含む広義の意味で使用する。
ＵＶ照射ランプとしては、波長２００〜３８０ｎｍの水銀ランプを用い、キセノン放電発光管（以下キセノンランプと称する）としては、キセノンガス入り放電管をいい、波長２２０〜赤外線波長７６０ｎｍを超える広い範囲の波長を照射する。
従って、ＵＶ照射ランプとキセノンランプを組み合わせると発光光線の波長帯が広がり、滅菌効果が強化される。
本発明においては、前記ＵＶ照射ランプとキセノンランプにさらにマイナスイオン発光装置を組み合わせた点に特徴がある。
マイナスイオンを発生させ、送風装置でエアー撹拌すると空気中に浮遊しているプラスイオン型浮遊物を中和し、消臭効果があるだけでなく、湿気の水滴の大きさを小さくする効果があり、室内への紫外線照射率が向上することで相乗効果的な滅菌作用が生じる。
【０００６】
本発明においてマイナスイオン発生装置は各種マイナスイオン発生装置を適用でき、実用新案登録第３１２５７４７号に記載してある異種の物質（例えば二種類の金属、鉱石とセラミックス等）を接触させて生じる電位差による超微弱ピコ電流が発生し、この電流に起因して発生するマイナスイオンビーム発生装置を用いることも効果的である。
【０００７】
請求項２記載に係る発明は、請求項１記載に係る滅菌及び消臭装置を効果的に用いた滅菌及び消臭方法であって、請求項１記載の滅菌及び消臭装置から照射された光線を反射装置で反射させ広範囲にわたって照射することを特徴とする。
ここで反射装置とは主に紫外線を反射するものであればよく鏡でもよい。
これにより室内空間の隅々まで照射可能になり室内空間全体に滅菌効果が生じる。
【発明の効果】
【０００８】
本発明においては、ＵＶ照射ランプ、キセノンランプ及びマイナスイオン発生装置を一体的に組み合わせたので、従来にない相乗効果で湿気の多い浴場、浴室であっても紫外線照射の効率が向上し、レジオネラ菌等の殺菌を滅菌することができ、マイナスイオンによる消臭効果もあり、衛生的に優れた室内空間を得ることができる。
また、本発明に係る滅菌及び消臭装置は浴場、浴室に限らずに、病室、病棟、老人ホ−ム等における高度の滅菌環境が要求される衛生管理にも有効である。
【発明を実施するための最良の形態】
【０００９】
本発明に係る滅菌及び消臭装置１０の構成例を図１に模式的に示す。
滅菌及び消臭装置は装置本体内にマイナスイオン発生装置１１、ＵＶ照射ランプ１２及びキセノン放電発光管（キセノンランプ）１３及び送風装置１４を取り付けてある。
送風装置１４を作動し、外部から吸気口１５を通じて取り込んだ空気はマイナスイオン発生装置で発生するマイナスイオンを吹出口１６から外部に撹拌する。
また、ＵＶ照射ランプ１２から室内空間に向けて紫外線が照射され、キセノンランプ１３からは紫外線を含む幅の広い波長帯の光線が照射される。
【００１０】
図２は室内空間を平面的に見た模式図を示し、例えば室内の一角に本発明に係る滅菌及び消臭装置１０を据え付けた場合にその反対側の壁面に反射装置２０を室内中心に向けてやや斜めに取り付ける。
これにより室内空間３０の隅々まで紫外線が照射されるとともに送風装置１４にて室内の空気が撹拌されるので室内全体が衛生管理される。
【実施例】
【００１１】
ＵＶ照射ランプ１２として波長２５４ｎｍを主波長とする殺菌灯を用い、キセノンランプ１３として１００Ｗのキセノンランプを用い、マイナスイオン発生装置１１としては銅粉を封入したセラミックスとアルミニウム粉を封入したセラミックスとの異種金属接触体を用いた。
また、吸気口１５には活性炭フィルターを取り付けた。
この装置を設置した室内にレジオネラ菌数１６０〜１７０ＣＦＵ／２０ｍｌの試験体を置いたところ、約５分でほぼ完全にレジオネラ菌が死滅した。
【図面の簡単な説明】
【００１２】
【図１】本発明に係る滅菌及び消臭装置の構造例を模式的に示す。
【図２】室内に本発明に係る装置と反射装置を配置する場合の配置例を示す。
【符号の説明】
【００１３】
１０    滅菌及び消臭装置
１１    マイナスイオン発生装置
１２    ＵＶ照射ランプ
１３    キセノン放電発光管
１４    送風装置
１５    吸気口
１６    吹出口
【図１】
2008119331.tif 000003
【図２】
2008119331.tif 000004
(57)【要約】【課題】岩盤浴室の衛生管理に効果的な殺菌方法の提供を目的とする。【解決手段】食塩水を電気分解して発生する活性酸素と次亜塩素酸とが含まれる電解水を、次亜塩素酸濃度が２０ｐｐｍ以下になるように濃度調整した液体に超音波振動を与え、ミストを発生させることを特徴とする。【選択図】  なし【特許請求の範囲】
【請求項１】
食塩水を電気分解して発生する活性酸素と次亜塩素酸とが含まれる電解水を、次亜塩素酸濃度が２０ｐｐｍ以下になるように濃度調整した液体に超音波振動を与え、ミストを発生させることを特徴とする岩盤浴室の殺菌方法。
【発明の詳細な説明】
【技術分野】
【０００１】
本発明は、岩盤浴室の衛生管理方法に関する。
【背景技術】
【０００２】
岩盤浴室は室温４０℃前後、湿度６０〜９０％程度に設定し、岩盤から生じる遠赤外線等により人は体の芯から温たまり、その発汗作用で新陳代謝を促進し、またリラックス効果も高いことから普及が進んでいる。
しかし、サウナ室は室温が９０℃前後と高いので細菌等は死滅するが、近年、社会的ニーズが高い岩盤浴は室温が４０℃前後とサウナ室よりも低く高湿度であるため、カビや細菌が繁殖しやすい環境となり、岩盤浴室の衛生管理が重要となる。
特開２００５−７３８００号公報には、排水口を設けた基礎床の上方に複数の通気孔を有する敷板を設け、この敷板に砂利層を形成することで、洗浄と乾燥を容易にした岩盤浴室構造を開示するが洗浄だけでは細菌の除菌、殺菌が不充分であった。
【０００３】
【特許文献１】特開２００５−７３８００号公報
【発明の開示】
【発明が解決しようとする課題】
【０００４】
本発明は、岩盤浴室の衛生管理に効果的な殺菌方法の提供を目的とする。
【課題を解決するための手段】
【０００５】
本発明者は、食塩水を電気分解すると次亜塩素酸と活性酸素が発生することと、岩盤浴室の湿度が高いことに着目し本発明に至った。
活性酸素は、有機物の炭素と結びついて二酸化炭素と水に分解することは公知であるが、活性酸素が含まれる水滴の大きさにより殺菌効果が異なる。
水滴の大きさが０．００１μｍ〜０．０１μｍの微粒子の場合には、アンモニアの臭いを消し、０．０１μｍ〜０．１μｍの範囲ではインフルエンザウィルス等のウィルス類に対する死滅効果がある。
さらに水滴の大きさが大きくなり、０．１μｍ〜１μｍの範囲になると大腸菌、コレラ・チフス菌、レジオネラ菌、緑膿菌等の細菌類に対する殺菌作用が生じる。
岩盤浴室で問題となるのはこの細菌の繁殖にある。
生理的食塩水を電気分解したままでは活性酸素が発生するものの次亜塩素酸の濃度が約１０００ｐｐｍと高いので、これに約ｐＨ７の水又は湯水を混合して次亜塩素酸が５ｐｐｍ〜２０ｐｐｍの範囲になるように薄めた。
この液体を超音波振動素子の備えた容器に入れ、超音波で振動させると微粒子のミストが発生する。
このミストの大きさを測定したところ、平均粒径で０．１μｍレベル以下であった。
これでは細菌の殺菌効果が期待できないのではないかと思われた。
ところが、岩盤浴室にてミストを発生させて見ると、岩盤浴室の湿度が６０〜９０％と高いためにミストが浴室中の水分と結合して平均粒径で約０．４５μｍになった。
そこで、培養したレジオネラ菌を用いて除菌、殺菌効果を確認したところ、優れた殺菌作用があることが明らかになった。
【０００６】
以上の理由により本発明に係る岩盤浴の殺菌方法は、食塩水を電気分解して発生する活性酸素と次亜塩素酸とが含まれる電解水を、次亜塩素酸濃度が２０ｐｐｍ以下になるように濃度調整した液体に超音波振動を与え、ミストを発生させることを特徴とする。
【発明の効果】
【０００７】
本発明においては、食塩水の電気分解による活性酸素の発生と岩盤浴の湿度を利用したことにより簡単な方法で確実に浴室中の細菌を除菌、殺菌できるため岩盤浴室の衛生管理が容易にできる。
【発明を実施するための最良の形態】
【０００８】
水道水や食塩水に電極を差し込み電気分解すると、次亜塩素酸（ＨＣｌＯ）及び活性酸素が含まれた電解水が得られる。
次亜塩素酸は殺菌力と強い酸化力を有していて、例えばアンモニア（ＮＨ３）を窒素と水に分解して消臭する。
また、活性酸素は有機物と反応して炭素間結合を分断し、二酸化炭素と水に分解する。
水道水を電気分解して電解水を得ることは可能であるが、電解効率や活性酸素の発生量を考慮すると食塩水がよく、食塩の濃度は０．５〜３．０％がよい。
理想的には生理的食塩水に近い濃度がよく、０．８〜１．０％の範囲がよい。
例えば０．９％の生理的食塩水を用いて電気分解し、次亜塩素酸と活性酸素とを含む電解水を得ると次亜塩素酸濃度は数百ｐｐｍ以上の濃度になる場合がある。
次亜塩素酸濃度が高いと人体への影響も懸念されるので、次亜塩素酸濃度として２０ｐｐｍ以下、好ましくは５ｐｐｍ〜２０ｐｐｍの範囲になるように薄める。
この薄めた液体を岩盤浴室にミスト状に噴霧して浴室内に除菌、殺菌する。
前述したように、ミストの粒径が平均で０．１μｍ〜１μｍの範囲内にあるようにすると細菌の除菌、殺菌効果が高い。
薄めた電解水をミスト化する手段は各種方法を採用することができる。
例えば、液体を入れた容器に超音波動を与えれば簡単に空気中に微粒子の水滴が放出し、その微粒子の水滴が岩盤浴室の湿度によって大きくなり、平均粒子径で０．１μｍ〜１μｍになる。
【実施例】
【０００９】
０．９％の生理的食塩水を絶縁性の容器に入れ、この液中に２本の電解を配設し、数Ｖの直流電圧を印加した。
得られた電解水中の次亜塩素酸濃度を測定すると約９００〜１０００ｐｐｍあった。
そこで、約５０倍に温水で薄めて超音波振動子の備えた容器に入れた。
超音波振動を与え、発生したミストを約４０℃、湿度８０％の岩盤浴室に放出した。
この浴室中にレジオネラ菌約１７０ＣＦＵ／２０ｍｌの試験体を置いておいたところ、徐々に殺菌されるのが確認できた。
(57)【要約】【課題】  ステープラーで綴じる材料に前もって、ガイド用の孔をあける道具を提示する。【解決手段】  ステープラーで綴じる材料に前もって、ガイド用の孔をあける道具であって、ステープラーで綴じる手段の内、クリンチャでステープルの脚部を曲げる手段に替えて、ステープルの脚部がまっすぐな状態のまま、受け入れる空間を作る板、またはブロックを備えたもの。ステープラーのクリンチャを取り外し、または移動可能として実現しても良い。【選択図】図４
2008119816.tif 000002
【特許請求の範囲】
【請求項１】
ステープラーで綴じる材料に前もって、ガイド用の孔をあける道具であって、ステープラーで綴じる手段の内、クリンチャでステープルの脚部を曲げる手段に替えて、ステープルの脚部がまっすぐな状態のまま、受け入れる空間を作る板、またはブロックを備えたもの。
【請求項２】
請求項１において、ステープラーのクリンチャを取り外し、または移動可能として実現したもの。
【発明の詳細な説明】
【技術分野】
【０００１】  ステープラーで綴じる材料にガイド用の孔をあけるための道具である。さらにクリンチャの代替方法に関する。
【背景技術】
【０００２】  『ステープラー』として、クリンチャ・ホルダーをクリンチャに対して移動可能とし、クリンチ不良や脚部の座屈の防止を図ることのできるステープラーが提示されている。特開２００３−２０５５０６（Ｐ２００３−２０５５０６Ａ）【０００３】  『ステープラー』として、舌状形の先端を、二股状に形成し、ステープルを抜きやすくした抜き具を添設したものが提示されている。特開平９−１１１５２【０００４】
【特許文献１】  特開平９−１１１５２
【特許文献２】  特開２００５−２１２１００（Ｐ２００５−２１２１００Ａ）
【発明の開示】
【発明が解決しようとする課題】
【０００５】  ステープラーで綴じる材料に前もって、ガイド用の孔をあける道具を提示する。
【課題を解決するための手段】
【０００６】  ステープラーで綴じる手段の内、クリンチャでステープルの脚部を曲げる手段に替えて、ステープルの脚部がまっすぐな状態のまま、受け入れる空間を作る板、またはブロックを備えたものによる。
【発明の効果】
【０００７】  材料の厚さが綴じられる限界に近い場合、およそ半分について、前もって、ガイド用の孔をあける。全体を綴じる際、綴じ位置をガイド用の孔に合わせることで、ステープルの頭部のつぶれや脚部が途中で曲がらない。ガイド用の孔をあける時に使用したステープルは、脚部がまっすぐな状態なので、抜くのがたやすい。
【発明を実施するための最良の形態】
【０００８】  ステープラーのクリンチャを取り外し、または移動可能とし、クリンチャの下にステープルの脚部がまっすぐな状態のまま、受け入れる孔を用意するか、側からくびれを入れる。【０００９】  クリンチャと取替えて備えることで実現しても良い。
【図面の簡単な説明】
【００１０】
【図１】  ガイド用の孔をあける原理図。
【図２】  ステープルの脚部がまっすぐな状態のまま、受け入れる形状の例。
【図３】  クリンチャの取り付け、および取り外し、または待避の例。
【図４】  穿孔具の例。
【符号の説明】
【００１１】  １０ステープル、１１クリンチャ、１２ステープルの脚部がまっすぐな状態のまま、受け入れる空間。
２０孔によるもの、２１くびれによるもの。
３０クリンチャと空間を作るブロック、３１クリンチャを取り外すことによるもの、３２クリンチャを縦方向にすべらせることによるもの、３３クリンチャを横方向にすべらせることによるもの、３４、３５クリンチャを横方向に繰ることで待避させるもの、３６クリンチャを縦方向に繰ることで待避させるもの、３７クリンチャと一体化させ、方向を替えるもの。
４０ステープルの脚部がまっすぐな状態のまま、受け入れる空間。
【図１】
2008119816.tif 000003
【図２】
2008119816.tif 000004
【図３】
2008119816.tif 000005
【図４】
2008119816.tif 000006
(57)【要約】【課題】本発明は、調整の際に使用者に手間をとらせず、簡単にまくら充填材を出し入れでき、使用者の条件に応じて高さ、硬さが自由に調整できる機能を発揮できる枕を提供することを目的とする。【解決手段】上記課題を解決するため請求項１に記載の発明は、柔軟性を有する材料からなる小袋にまくら充填材を収容し、該まくら充填材を収容した小袋を複数挿入したことを特徴とする枕にある。【選択図】図１
2008119421.tif 000002
【特許請求の範囲】
【請求項１】
柔軟性を有する材料からなる小袋にまくら充填材を収容し、該まくら充填材を収容した小袋を複数挿入したことを特徴とする枕。
【請求項２】
請求項１に記載の枕において、上記小袋の挿入数を調整して、体積及び硬さを調整することを特徴とする枕。
【発明の詳細な説明】
【技術分野】
【０００１】本発明は、使用者の好みに応じて枕の高さや硬さ、充填材の種類や量を調整することにより、肩こり、首のこり、頭痛、疲労回復に寄与する枕に関する。
【背景技術】
【０００２】従来、まくら部材のまくら充填材を出し入れすることによって、使用者に合わせて高さや硬さが調節できる枕が発明されたが、まくら充填材で用いるそば殻やパイプ、ウレタンチップなどは出し入れの時にまくら充填材が飛散し、片付ける手間がかかり不便であった。そのため、調整用のまくら充填材は保管されたままになり、硬さや高さを調整する機能を十分に発揮できずにいた。また、袋状のまくら部材は、まくら充填材を入れ替えることもできるが、この場合もそば殻やウレタンチップなどが飛散し、収集することに手間をとられ面倒であり不便であった。
【特許文献】特願２００５−１７４２２０号
【０００３】また、まくら充填材は素材によって形状や大きさが異なるため、例えば、そば殻とパイプを同一枕部材内に挿入して使用する場合、パイプ内の空洞部にそば殻が入り込んでしまい、まくら充填材としての機能を発揮できないことがあった。
【発明の開示】
【発明が解決しようとする課題】
【０００４】本発明は上述の点から鑑なみてなされたもので、調整の際に使用者に手間をとらせず、簡単にまくら充填材を出し入れでき、使用者の条件に応じて高さ、硬さが自由に調整できる機能を発揮できる枕を提供することを目的とする。
【課題を解決するための手段】
【０００５】上記課題を解決するため請求項１に記載の発明は、柔軟性を有する材料からなる小袋にまくら充填材を収容し、該まくら充填材を収容した小袋を複数挿入したことを特徴とする枕にある。【０００６】請求項２に記載の発明は、請求項１に記載の枕において、上記小袋の挿入数を調整して、体積及び硬さを調整することを特徴とする。
【発明の効果】
【０００７】請求項１に記載の枕によれば、本発明はまくら充填材に用いられるそば殻やパイプ、ウレタンチップなどを、柔軟性を有する材料からなる小袋に収容してあるので、まくら充填材が飛散することがなく、枕内に複数収容する作業の時間を短縮でき、簡単に行うことができる。【０００８】請求項２の発明によれば、本発明の枕は、まくら充填材を収容した小袋を複数挿入し、硬さや体積を調整することができる。使用者の好みや体調に合わせて、まくら充填材を収容した小袋の増減によって硬さや体積を調整できる。本枕は、まくら充填材が小袋に収容されているので、出し入れによる量の増減が簡単にできる。これにより使用者の肩こり、首こり、疲労状態によって枕の硬さ、高さ、充填材の種類の選択などができる本来の枕の機能を発揮することができ快適な睡眠を提供できる。
【発明を実施するための最良の形態】
【０００９】以下、本発明の実施の形態を図面に基づいて説明する。図１は本発明に係る枕の図で、図１の枕１は、枕部材２，３，４内にまくら充填材を挿入した状態を示した図である。この枕１は、袋の結合によって構成されているので、枕部材２，３，４ごとに異なったまくら充填材を挿入することができる。【００１０】例えば枕部材２内には、そば殻を収容してある小袋を枕部材２に設けてある開口部を通して複数挿入し、枕部材４内には、ビーズを収容してある小袋を挿入する。そして、枕部材３内には、そば殻を収容した小袋とビーズを収容した小袋というように、異なるまくら充填材を組み合わせて挿入することができるので、硬さ調節の選択範囲が広がる。【００１１】図２は、まくら充填材に用いるそば殻を小袋に収容した状態を示した図である。この柔軟性を有する袋９の素材は、通気性に優れ且つ、そば殻が飛散しない布や不織布などが適する。この図２で示した半月状の小袋内に所定の量のそば殻を収容し、接着部８を封じる。封じる方法は、素材によって縫製、熱接着など様々にできる。【００１２】図３は、本発明の枕に用いる各種まくら充填材を示した図である。例えば、そば殻１０を所定の量を小袋に収容したそば殻入り小袋５は、半月状の形状にし、小袋の素材は通気性の木綿にする。次に、ビーズ１１を所定の量を小袋に収容したビーズ入り小袋６は、楕円形の形状にし、小袋の素材は伸縮性のあるものにする。ウレタンチップ１２も同様にウレタンチップ入り小袋７の形状を異なるものし、素材を選択する。前記において、小袋の形状や小袋の素材は同じでも良い。【００１３】図４は、袋の結合で構成された枕部材２，３，４に、通気性をよくするために菱形の空隙部１５を設けた本枕１と、まくら充填材入り小袋１４を示した図である。本枕１の長さや高さには格別の限定はないが、ここでは、長さ７００ｍｍ、縦５００ｍｍ、高さ１００ｍｍとする。これに対し各枕部材２，３，４に設けてある開口部ファスナー１３の長さは、約１００ｍｍ以下とする。従って、枕部材２，３、４内に挿入するためにまくら充填材の大きさは、開口部ファスナー１３の直径に対して、その長さの３分の１以下のまくら充填材入り小袋１４が適する。【００１４】以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００１５】
【図１】まくら充填材を枕に挿入した状態を示した断面図である。
【図２】そば殻入り小袋を示した平面図である。
【図３】各種まくら充填材を示した平面図である。
【図４】枕とまくら充填材を示した図である。
【符号の説明】
【００１６】１枕
２枕部材
３枕部材
４枕部材
５そば殻入り小袋
６ビーズ入り小袋
７ウレタンチップ入り小袋
８接着面
９柔軟性を有する袋
１０そば殻
１１ビーズ
１２ウレタンチップ
１３開口部ファスナー
１４まくら充填材入り小袋
１５空隙部
【図１】
2008119421.tif 000003
【図２】
2008119421.tif 000004
【図３】
2008119421.tif 000005
【図４】
2008119421.tif 000006
(57)【要約】【課題】高齢者の人、障害者の人、など寝たきりの人が寝たままで用のたせるベットはいろいろと考案されている。柔軟なプラスチック袋体に水或いは温水を入れ使用するベットの場合に、寝たきりの人には最も困難な排便の処理をベットに寝たままでできるトイレを提供する。【解決手段】柔軟なプラスチック袋体の一部で、横臥した場合の身体の臀部付近に僅かな表面段差を設け、その部分に袋体を上から下に貫通する数個の穴をもうけ、各穴の上面は下側に開く弁を設けておく。通常状態で表面段差部分には粉末パウダー、オイルなどを薄く散布しておく。用便の際には、表面段差の穴の位置に、臀部を置きそこで排泄する。便はパウダー或いはオイルに包まれてその重みで弁が開き自然落下する。ベットの下部には、排泄物の槽を設けておき、廃棄物として処理する。ベットの上部にシャワーを設けておけば、ベット上で、臀部の洗浄、貫通穴の洗浄も可能である。【選択図】図１
2008119422.tif 000002
【特許請求の範囲】
【請求項１】
高齢者の人、手足の不自由な人、身障者の人など寝たきりの人が使用するベットが柔軟なプラスチック袋体であり、その内部に水或いは温水を出し入れする事で高さを調節すると共に、温水温度を調節することで適度な暖かさを得る事が可能なベットに於いて、プラスチック袋体の臀部付近に表面段差を設け、この段差部分に袋体の上から下まで貫通する、水漏れの起こらない幾つかの穴をもうけ、それぞれの貫通穴の上部に下に開く弁を取り付けておき、通常は弁は閉じた状態で段差部分に粉末パウダーやオイルを撒いておく。用便時には弁は重みにより下に開き、便が自然に落下するようにした寝たままで用便ができる寝たままトイレ。
【発明の詳細な説明】
【技術分野】
【０００１】本発明は高齢者、障害者など寝たままでの生活を余儀なくされている人のためのベットに適したトイレを提供するものである。柔軟なプラスチック袋体に水或いは温水を入れた状態で使用するベットに寝たままの状態で、簡単に用便を行う事ができるトイレある。
【背景技術】
【０００２】一般に使用される寝たきりの人のためのベットは寝る事を主体としており、用便の際にも自力で行う事は困難な場合も多く、介護人の手助けを得て、移動し行う必要がある。このように寝たきりの人にとっては人手による援助が多かれ少なかれ必要で、援助をお願いするにも気兼ねするなど気持ちの上で負担となっている。当然、介護人の都合によってもタイムリーな援助が不可能なケースもある。【０００３】
【特許文献１】特開平１０−１３７３１４号公報
【発明の開示】
【発明が解決しようとする課題】
【０００４】本考案は、従来の技術が有するこれらの問題点を解決する為になされたものであり、目的としては、水或いは温水を入れ膨張させて使用する袋体のベットに寝たきりの人でも比較的容易に自力で、寝たままでの用便ができる事を目的とするトイレである。これにより寝たきりの方の心身面や精神面の負担と介護する人の負担の軽減を図る事が出来る。
【課題を解決するための手段】
【０００５】本発明のトイレは上記目的を達成するためにベットの一部に便落下の為の穴を設けておき、便をベット下に設けたタンクで受け処理するものである。
ベットは枠体の内側にセットされており柔軟性のあるプラスチック袋体を使用して内部に水、温水を入れることで高さと温度の調整を行う。通常は水或いは温水を適量入れておき、この上で横臥して寝ることでベットとして使用する。水或いは温水は温水器等を介した循環できる配管を設けておき供給、排水する。【０００６】柔軟性のあるプラスチック袋体はゴム、ビニール、等似て作成された水漏れのない構造で、その表面の横臥したときに臀部に当たる部分に少しの段差を設けられている。
この段差には袋体を上から下まで水、或いは温水が漏れ出ない構造で幾つかの貫通する穴あいており、それぞれの貫通穴の上部には弁が付けられており、通常は閉じた状態である。段差内の表面には粉末パウダー或いはオイルなどが散布されている。【０００７】用便の際には、プラスチック袋体の臀部部分の段差にもうけた貫通穴の上に臀部をおき用を足す。弁は段差内に散布されている粉末パウダー或いはオイルに包まれ、その重みよって弁が下方向に開口し、便を自然落下させる。袋体の下には便を受けるタンクが設けてあり、用便後に処理する。
【発明の効果】
【０００８】上述したように柔軟なプラスチック袋体に水或いは温水を入れて使用するベットに寝たままの状態で用便ができる。
袋体に使用する水或いは温水をシャワーとして使用することで、臀部の洗浄、貫通穴の清掃に有効である。
また、便が袋体の貫通穴を通って落下し、下のタンクに受けられるので、臭気など周囲環境への影響も低減できる。
【発明を実施するための最良の形態】
【０００９】以下、本発明の実施の形態を［図１］〜［図３］により説明する。
［図１］は本発明のトイレ構造を示す斜視図であり、１はベットで、２はその表面に設けられた段差である。段差２の内面には貫通穴３が多数あいている。貫通穴３上部には弁４が設けられている。ベッドの下で貫通穴の下にはタンク５がある。【００１０】［図２］は本発明のトイレ構造を示し、［図１］におけるＡ−Ａ断面図。【００１１】［図３］は本発明のトイレを使用したベットの使用例を示す図でその構成を説明する。袋体１は浴槽６の内側にセットされ、給水管７で水或いは温水が給水される。通常は水或いは温水を入れておき、ベットとする。入浴の際は配管８で水或いは温水を浴槽内に移す。袋体１の表面には臀部の当たる部分に段差２があり、その内面には貫通穴３が幾つか空いている。又それぞれの貫通穴３の上部には弁４がある。段差２の内側には粉末パウダー或いはオイルが散布されている。【００１２】この状態で用便した場合、便は粉末パウダー或いはオイルに包まれその重さで弁４は下に開く。便は貫通穴３を落下してタンク５に溜まる。
身体或いは貫通穴の洗浄を行う場合、ベット上部に設けたシャワー９を使用することで清潔にできる。
【図面の簡単な説明】
【００１３】
【図１】本発明の実施形態を示すベッドの斜視図
【図２】本発明のトイレ構造を示す断面図である。
【図３】本発明のトイレを使用したベットの実施形態を示す図
【符号の説明】
【００１４】１  プラスチック袋体
２  表面段差
３  貫通穴
４  弁
【図１】
2008119422.tif 000003
【図２】
2008119422.tif 000004
【図３】
2008119422.tif 000005
(57)【要約】      （修正有）【課題】本発明は、既存の男性用尿もれインナーシートの問題点（形状の不一致によるズレ、貼り付いたシールを剥がす痛み、脱着の煩わしさ、カサ張ることによる携帯の不便）を解決し、簡単、確実、安全に尿もれを吸収できる立体インナーシートを提供する。【解決手段】携帯に便利なようにコンパクトに折り畳める立体マスク状に加工成型した尿吸収体を内側は液透過性シート、外側は液不透過性シートで挟んで圧着包装する。インナーシート下部に亀頭固定用のくぼみを設ける。液不透過性シートの外側にパンツに粘着固定できる縞状シールを設ける。シールの粘着度は、シートの固定が可能な範囲で、万一男性器の皮膚に貼り付いてもすぐに剥がせる程度とする。【選択図】図４
2008119427.tif 000002
【特許請求の範囲】
【請求項１】
尿吸収体を立体マスク状に成型した男性用尿もれ吸収立体インナーシート。
【請求項２】
亀頭を固定するためのくぼみを設けて成型した請求項１のの男性用尿もれ吸収立体インナーシート。
【請求項３】
携帯に便利なコンパクトな形状に折り畳める請求項１の男性用尿もれ吸収立体インナーシート。
【請求項４】
皮膚に貼り付いてもすぐに剥がせる程度の縞状粘着固定シールが外側に設けられた請求項１の男性用尿もれ吸収立体インナーシート。
【発明の詳細な説明】
【技術分野】
【０００１】  本発明は、トイレの後の尿もれに悩む男性用の、尿もれ吸収立体インナーシートに関するものである。
【技術背景】
【０００２】  従来、尿もれ吸収シートは、尿吸収体を平面状のままシールでパンツの内側に貼り付けるもの（特許文献１参照）、袋状に加工成型して陰茎にキャップのように被せ、袋の入口に弾性素材を用いて固定するもの（特許文献２参照）、両者の中間的なもの（特許文献３）が知られている。
また、風邪をひいた時に使用するマスクとして、鼻と口の形状にフィットさせ、空気洩れれのない快適な使用感を実現し、２つに折り畳めて携帯に便利な立体マスクが知られている（特許文献４参照）。
【特許文献１】登録実用新案第３１２５６７４号
【特許文献２】特許公開２００５−１７７４１１
【特許文献３】特許公開平１１−８９８６７
【特許文献４】特許公開２００５−３２８９３７
【発明の開示】
【発明が解決しようとする課題】
【０００３】  従来、男性が尿もれインナーシートを使用する際、以下のような問題点があった。
（１）平板な形状の場合
携帯に便利で、尿意を催した際簡単迅速に脱着できるものの、立体的な形状を有する男性器とフィットせず、また男性の陰茎は必ずしもまっすぐでないため、洩れた尿をシートの中央線上ではなく、そこからずれた特定部分で集中的に吸収するうちに、尿吸収体が容量を超えて破裂することがある。
また男性器の先端部が縦方向の中央部に一点集中して当たる反動で、縦方向の両端がめくれ、シート外側の粘着シールが先端部（亀頭）や睾丸など敏感な男性器の皮膚に貼り付き、剥がす際に痛みを伴う。
（２）袋状の場合
（１）の平板な形状の問題点であった形状の不一致や陰茎の曲がり癖、シールの貼り付きを解決しているが、トイレの毎に吸収シートを陰茎先端部から外し、排尿後に再び装着し直さなければならず、特に急な尿意を催した場合に煩わしいし、勃起や寒冷時の収縮など男性器特有の陰茎の形状変化によって、ハズレ止め用の弾性素材が男性器の血流を圧迫したり、ハズれたりする新たな問題を生んでいる。また独特な形状からカサ張るので、数日に渡る旅行・出張時などの携帯に不向きである。
【課題を解決するための手段】
【０００４】  尿吸収体を、携帯に便利なようにコンパクトに折り畳める立体マスク状に加工成型する。その際、シート下部に亀頭を固定するためのくぼみを設ける。尿が放出される内側の液透過性シートとパンツに当たる外側の液不透過性シートの間に挟んで圧着包装する。パンツに当たる外面に粘着固定できる縞状に配置したシールを設ける。シールの粘着度は、シートの固定が可能な範囲で、万一男性器に貼り付いてもすぐに剥がせる程度とする。
本発明は、以上の構成よりなる男性用尿もれ吸収立体インナーシートである。
【発明の効果】
【０００５】  本発明をインナー（パンツ）の内側にシールで固定することにより、曲がり癖のある陰茎でも立体マスク形状の亀頭固定用のくぼみに導き固定し、シートが男性器と一体化することで固定シールが全体的かつ均一に下着に押し付けられるため、シート両端のめくれを未然に防ぎつつ、簡単、確実、安全に尿洩れを吸収することができる。
【発明を実施するための最良の形態】
【０００６】  以下に、本発明の実施の形態を説明する。
（イ）  尿吸収体を立体マスク状に加工成型する（１）。その際、シート下部に亀頭固定のくぼみ（２）を設ける。
（ロ）  尿が放出される内側に液透過性シート（３）、パンツに当たる外面に液不透過性シート（４）の間に（１）を挟んで圧着包装する。
（ハ）  液不透過性シート（４）の外側にパンツに粘着固定するための縞状シール（５）を設ける。シールは剥離紙で保護されている。
本発明は以上の構成よりなる。
本発明を使用する際は、シールの剥離紙を剥がし、パンツ（６）の内側に粘着固定した後、パンツ（６）、ズポン（７）を装着する。亀頭は自然に立体マスク状の固定用のくぼみ（２）に導かれ、残尿をシート中央部で確実に吸収できる。
【図面の簡単な説明】
【０００７】
【図１】本発明の折り畳み状態図
【図２】本発明の断面図
【図３】本発明の斜視図
【図４】本発明の装着状態透視図
【符号の説明】
【０００８】（１）尿吸収体（２）亀頭固定用のくぼみ（３）液透過性シール（４）液不透過性シール（５）縞状シール（６）パンツ（７）ズボン
【図１】
2008119427.tif 000003
【図２】
2008119427.tif 000004
【図３】
2008119427.tif 000005
【図４】
2008119427.tif 000006
(57)【要約】      （修正有）【課題】骨盤矯正に効果があり、時間的・体力的・経済的に負担の少ない器具を提供する。【解決手段】足の爪先接地時に、親指部位１が、小指部位２・踵部位などより低い位置となる角度にサンダル底が構成されている骨盤矯正用のサンダルとする。このように構成したサンダルを履き、足を少し開いて、両手を頭の後に添え、背筋を伸ばして立ち、踵接地の状態から、ゆっくりと体の重心を爪先に移動すると、他の部位より低い位置にきた親指１が体の中心軸に向けて内転することで下肢４、続いて股関節５が内旋する。この運動により骨盤が引き締められる。【選択図】図１
2008119429.tif 000002
【特許請求の範囲】
【請求項１】
足の爪先接地時に、親指部位が、小指部位・踵部位などより低い位置となる角度にサンダル底が構成されていることを特徴とする骨盤矯正用のサンダル。
【発明の詳細な説明】
【技術分野】
【０００１】本発明は、歪んだ骨盤を矯正するサンダルに関するものである。
【背景技術】
【０００２】一般に女性は、出産に備えて骨盤の恥骨結合が緩みやすくなっており出産経験のない女性でも偏った姿勢や不規則な生活習慣などを続けると、骨盤の歪みを引き起こす場合がある。骨盤の歪みは便秘や生理不順など様々な症状を引き起こすだけでなく、そんなに肥満体ではないのに下腹がポッコリ出ていたり、お尻の肉が垂れていたりするなど、女性にとっては深刻な悩みの原因になっている。【０００３】整体法、カイロプラティック療法、ヨガ、呼吸法などによって骨盤を正しい位置に戻し、太りにくい体質に替えるためのセラピーがあり、自分で行う骨盤エクササイズ本も多数市販されている。しかし、これらは時間なり費用なり、体力なりの負担を強いられることもあり、効果が現れるまで続けるのは困難なのが現状である。【０００４】手軽に使える骨盤矯正用の器具として、座って骨盤を引き締めるクッションやガードル、バンドも市販されているが、使用時に痛みや圧迫感などの違和感があり、しかも効果はなかったりするものがほとんどである。
【発明の開示】
【発明が解決しようとする課題】
【０００５】本発明の技術的課題は、前述の問題を解決するため、骨盤矯正に効果があり、時間的・体力的・経済的に負担の少ない器具を提供することである。
【課題を解決するための手段】
【０００６】前記課題を解決するため本発明は、足の爪先接地時に、親指部位が、小指部位・踵部位などより低い位置となる角度にサンダル底が構成されている骨盤矯正用のサンダルとする。
【発明の効果】
【０００７】上述のように構成したサンダルを履き、足を少し開いて、両手を頭の後に添え、背筋を伸ばして立ち、踵接地の状態から、ゆっくりと体の重心を爪先に移動すると、他の部位より低い位置にきた親指が体の中心軸に向けて内転することで下肢、続いて股関節が内旋する。この運動により骨盤が引き締められる。下肢から股関節への内旋運動は実際にセラピストが骨盤矯正治療に用いている手技である。この動作は１日に１０回程度（約１分間）反復するだけで十分効果があるため、時間的・体力的・経済的にも負担が少なく、骨盤が正しい位置に戻り、太りにくい体質に変わることができるのである。
【発明を実施するための最良の実施の形態】
【０００８】本発明は、足の爪先接地時に、親指部位が、小指部位・踵部位などより低い位置となる角度になるようサンダル底を構成する。
【実施例】
【０００９】本発明の実施の形態を図１〜図３に基づいて説明する。図１は本発明品の実施形態の使用状態の説明図である。図２は本発明品の実施形態の踵接地時の状態を親指側の側面から見た説明図である。図３は発明品の実施形態の爪先接地時の状態を親指側の側面から見た説明図である。【００１０】図３で示すように本発明品のサンダルを履き、足を少し開いて、両手を頭の後に添え、背筋を伸ばして立ち、図２の踵接地の状態から、ゆっくりと体の重心を図３のように爪先に移動すると指や踵の部位より低い位置にきた親指は体の中心軸に向かって内転する。この動きに連動して下肢はＸ脚状に、続いて股関節も体の中心軸に向けて内旋する。この運動により骨盤が引き締められるのである。
【図面の簡単な説明】
【図１】発明品の使用状態の説明図
【図２】発明品の踵接地時の状態を親指側の側面から見た説明図
【図３】発明品の爪先接地時の状態を親指側の側面から見た説明図
【符号の説明】
１  親指
２  小指
３  踵
４  下肢
５  股関節
【図１】
2008119429.tif 000003
【図２】
2008119429.tif 000004
【図３】
2008119429.tif 000005